(57)【要約】      （修正有）【課題】看板広告が宣伝する電子情報以外の商品に対してもユーザに試用してもらい、かつ販売経路を確立し、逐次販売できる商品販売システムを提供する。【解決手段】個人認証を行うための通信を行う携帯端末１と、前記携帯端末１を認識し通信を行う通信装置２と、前記携帯端末１を携帯する個人の個人認証を前記通信装置２を介して行い個人情報を管理する顧客データベース３と、前記携帯端末１を携帯する個人を撮影する撮影装置４と、前記撮影装置４が撮影した映像と別の画像を合成する合成装置５と、前記合成装置５が合成する別の画像を蓄える商品データベースと、前記合成装置５が合成した映像を映し出す表示装置７と、前記個人が情報を入力する入力装置８と、前記入力装置８に入力された情報を元に商品を配送する配送システム９と、前記顧客データベースにより認証された個人から決済を行う決済システム１０とを有する。【選択図】図１
2010049415.tif 000002
【特許請求の範囲】
【請求項１】
個人認証を行うための通信を行う携帯端末と、
前記携帯端末を認識し通信を行う通信装置と、
前記携帯端末を携帯する個人の個人認証を前記通信装置を介して行い個人情報を管理する顧客データベースと、
前記携帯端末を携帯する個人を撮影する撮影装置と、
前記撮影装置が撮影した映像と別の画像を合成する合成装置と、
前記合成装置が合成する別の画像を蓄える商品データベースと、
前記合成装置が合成した映像を映し出す表示装置と、
前記個人が情報を入力する入力装置と、
前記入力装置に入力された情報を元に商品を配送する配送システムと、
前記顧客データベースにより認証された個人から決済を行う決済システムと
を有する商品販売システム。
【請求項２】
前記携帯端末は、前記通信装置と人体を介して通信を行う機能を有する請求項１に記載の商品販売システム。
【請求項３】
前記携帯端末は、前記通信装置と無線路を介して通信を行う機能を有する請求項１に記載の商品販売システム。
【請求項４】
前記通信装置は、前記携帯端末が接近したことを感知する機能と、前記携帯端末の識別情報を元に前記顧客データベースに問い合わせを行い前記携帯端末が通信対象と判断した場合に前記携帯端末に対し通知信号を送信する機能とを有する請求項１に記載の商品販売システム。
【請求項５】
前記携帯端末は、前記通信装置から通知信号を受信した際に前記個人に通知信号を受信したことを伝える機能を有する請求項４に記載の商品販売システム。
【請求項６】
前記顧客データベースは、前記個人から事前に登録された各種データを保存、管理し、前記通信装置からの個人認証に対し許可及びデータ提供を行う機能を有する請求項１に記載の商品販売システム。
【請求項７】
前記撮影装置は、前記通信装置から撮影対象が接近した通知を受け、前記個人を撮影する機能を有する請求項４に記載の商品販売システム。
【請求項８】
前記撮影装置は、前記個人の動きに合わせ追跡する機能を有する請求項１に記載の商品販売システム。
【請求項９】
前記合成装置は、前記撮影装置により撮影された前記個人の画像と前記商品データベースからの画像情報とを前記個人の動きに合わせて合成する機能を有する請求項１に記載の商品販売システム。
【請求項１０】
前記合成装置は、立体的に表示可能なように合成映像を生成する機能を有し、前記表示装置は、前記合成装置より送られてくる画像を立体表示する機能を有する請求項１に記載の商品販売システム。
【請求項１１】
前記商品データベースは、販売する商品の各種データを保存、管理し、前記顧客データベースからの情報を元に前記個人に適合した画像情報を前記合成装置に提供する機能を有する請求項１に記載の商品販売システム。
【請求項１２】
前記表示装置は、前記個人が鏡に映る姿として本人が見られるように表示する機能を有する請求項１に記載の商品販売システム。
【請求項１３】
前記表示装置は、光を発光する素子と光を反射される素子が一組の画素となった多数の画素からなる光の発光と反射を同時に行う機能を有する請求項１に記載の商品販売システム。
【請求項１４】
前記入力装置は、前記表示装置に映し出されるボタンへの操作として情報を入力する機能を有する請求項１に記載の商品販売システム。
【請求項１５】
前記入力装置は、前記個人の動作が前記撮影装置で撮影された画像より定められた動作と認識された場合に、情報を入力可能とした請求項１に記載の商品販売システム。
【請求項１６】
前記入力装置は、前記個人からの音声により情報を入力可能とした請求項１に記載の商品販売システム。
【請求項１７】
前記入力装置は、前記個人が本体に触れることにより情報を入力可能とした請求項１に記載の商品販売システム。
【請求項１８】
前記入力装置は、前記携帯端末を介して情報を入力可能とした請求項１に記載の商品販売システム。
【請求項１９】
前記入力装置は、前記携帯端末を本体にかざすことにより情報を入力可能とした請求項１に記載の商品販売システム。
【請求項２０】
前記配送システムは、前記顧客データベースに登録された情報を元に前記携帯端末の識別情報により認証された顧客に購入された商品の中から前記個人に適合する型番の商品を配送する機能を有する請求項４に記載の商品販売システム。
【請求項２１】
前記決済システムは、前記顧客データベースに登録された情報を元に前記携帯端末の識別情報により認証された顧客に対し決済を行う請求項４に記載の商品販売システム。
【発明の詳細な説明】
【技術分野】
【０００１】
本発明は、公共スペースあるいは私有地等に設置された看板を利用した商品販売システムに関する。
【背景技術】
【０００２】
商品の販売においては、古くから店舗を構えて行われる形態が主である。店舗を構えない形態に行商があるが、近年では少なくなってきている。これに換わってテレビショッピング、ネットショッピング等の新しい販売形態を含む通信販売が広まってきている。
【０００３】
しかし、店舗にしろ、ネットショッピングにしろ、顧客がそこまでアクセスして商品を選び購入してもらう必要がある。
【０００４】
これに対し、同じ通信販売の中に、新聞広告、雑誌広告等の広告を用い、それを偶然見た顧客がその商品に興味を持ち購入申し込みへと導く方法もある。このように広告自体には宣伝効果があり、かつそのまま購入手続きまで進める通信販売においては、より広い購買層の獲得が期待できる。
【０００５】
しかし、新聞や雑誌の広告では、その書籍を購読してもらう必要があり、購買層のターゲットを絞ることはできるものの、より広い人の目に触れるためには多種多様な書籍に広告を載せる必要がある。
【０００６】
それに対し、街中に設置された看板広告ならば、設置場所にはよるものの一度に多数の人の目に触れることが可能になる。近年、デジタルサイネージと呼ばれる映像、情報をディスプレイ表示する新しいタイプの看板広告も出現し始めている。このような看板広告が、宣伝効果だけではなく即購入に結び付けられれば更なる商品の販売が期待できる。
【０００７】
本件出願人は、先に、ロバスト性を向上させて、ＰＤＡなどでコンテンツを購入し、さらに決済処理を可能にした情報処理システムを提案している（例えば、特許文献１参照）。
【０００８】
【特許文献１】特開２００４−１７１３３１号公報
【発明の開示】
【発明が解決しようとする課題】
【０００９】
しかしながら、上述の如き従来の手法でユーザに提供されるものは、音楽や動画といった所謂コンテンツと言われる電子情報が主体であった。
【００１０】
本発明は、このような実情を鑑みてなされたものであり、看板広告が宣伝する電子情報以外の商品に対してもユーザに試用してもらい、かつ販売経路を確立し、逐次販売できる商品販売システムを提供することを目的とする。
【００１１】
本発明の更に他の目的、本発明によって得られる具体的な利点は、以下に説明される実施の形態の説明から一層明らかにされる。
【課題を解決するための手段】
【００１２】
本発明では、看板を直接販売システムに利用することで、人目に着くことから販売チャンスを増やし、そのまま購入手続きまでできることから販売チャンスを逃さないようにする。
【００１３】
すなわち、本発明に係る商品販売システムは、個人認証を行うための通信を行う携帯端末と、前記携帯端末を認識し通信を行う通信装置と、前記携帯端末を携帯する個人の個人認証を前記通信装置を介して行い個人情報を管理する顧客データベースと、前記携帯端末を携帯する個人を撮影する撮影装置と、前記撮影装置が撮影した映像と別の画像を合成する合成装置と、前記合成装置が合成する別の画像を蓄える商品データベースと、前記合成装置が合成した映像を映し出す表示装置と、前記個人が情報を入力する入力装置と、前記入力装置に入力された情報を元に商品を配送する配送システムと、前記顧客データベースにより認証された個人から決済を行うことを特徴とする。
【発明の効果】
【００１４】
本発明によれば、看板を直接販売システムに利用することで、人目に着くことから販売チャンスを増やし、そのまま購入手続きまでできることから販売チャンスを逃さないようにすることが可能になる。
【発明を実施するための最良の形態】
【００１５】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１６】
本発明は、例えば図１に示すような構成の商品販売システム１００に適用される。
【００１７】
この商品販売システム１００は、本発明を適用して、看板広告が宣伝する電子情報以外の商品に対してもユーザが試用することを可能とし、また販売経路を確立にすることにより逐次販売が行えるようにしたものである。
【００１８】
この商品販売システム１００は、携帯端末１、通信装置２、顧客データベース３、撮影装置４、合成装置５、商品データベース６、表示装置７、入力装置８、配送システム９、決済システム１０等を備える。
【００１９】
この商品販売システム１００において、携帯端末１は、個人認証を行うための通信を行うものである。
【００２０】
また、通信装置２は、前記携帯端末１を認識し通信を行うものである。
【００２１】
また、顧客データベース６は、前記携帯端末１を携帯する個人１６の個人認証を前記通信装置２を介して行い個人情報を管理するものである。
【００２２】
また、撮影装置４は、前記携帯端末１を携帯する個人１６を撮影するものである。
【００２３】
また、合成装置５は、前記撮影装置４が撮影した映像と別の画像を合成するものである。
【００２４】
また、商品データベース６は、前記合成装置５が合成する別の画像を蓄えるものである。
【００２５】
また、表示装置７は、前記合成装置５が合成した映像を映し出すものである。
【００２６】
また、入力装置８は、前記個人１６が情報を入力するものである。
【００２７】
また、配送システム９は、前記入力装置８に入力された情報を元に商品を配送するものである。
【００２８】
さらに、決済システム１０は、前記顧客データベース６により認証された個人から決済を行うものである。
【００２９】
この商品販売システム１００において、携帯端末１を携帯した個人１６が通信装置２のエリアに入った際、通信装置２と携帯端末１との間でリンクが確立され、携帯端末１が保有する識別情報ＩＤを元に通信装置２は顧客データベース３から個人情報を取得する。
【００３０】
通信装置２は、取得した顧客データを元に表示装置７で扱う看板広告の情報が個人１６の嗜好情報と一致した際には携帯端末１へ通知信号を発する。
【００３１】
通知信号を受信した携帯端末１は、例えば携帯端末１自体が振動することにより個人１６へ表示装置７の存在を知らせる。この他、携帯端末１自体から通知音が発せられてもよい。また携帯端末１自体が発光し表示装置７の存在を知らせてもよい。携帯端末１が音楽再生機能を有していれば、視聴している音楽に通知音を加えてもよい。携帯端末１が映像再生機能を有していれば、モニタ上に通知マークを表示してもよい。
【００３２】
携帯端末１を携帯した個人１６は、表示装置７の存在を確認した後、その情報（商品）に興味があれば携帯端末１を介し接続処理を行う。接続処理の方法は、携帯端末１に限らず表示装置７と組みになっている入力装置８を介してもよい。
【００３３】
携帯端末１を携帯した個人１６から接続処理が行われた後、通信装置２は看板広告に関連した個人１６の更なる情報を顧客データベース３から取得し、また、これに関連する個人１６用の商品データを商品データベース６から取得する。この時、必要な画像情報は合成装置５へ送られる。なお、顧客データベース３は、携帯端末１に関連するデータと、看板広告主が所有するデータとで別途分離管理されていてもよい。
【００３４】
通信装置２への接続処理に従い、撮影装置４は、個人１６を撮影し、合成装置５へ映像を送る。
【００３５】
合成装置５は、撮影された映像と商品の画像情報から合成映像を生成し、表示装置７へ送る。
【００３６】
表示装置７は、送られてきた映像を映し出す。
【００３７】
個人１６は、表示装置７に映し出された映像を見て自分の嗜好に一致しているか確認し購入するか判断する。
【００３８】
そして、購入することを決めた個人１６は、入力装置８を介し購入処理を行う。
【００３９】
購入手続きの完了により、通信装置２は配送システム９へ個人１６用の顧客データ、商品データを元に配送指示を行う。
【００４０】
また、通信装置２は、決済システム１０へ個人１６用の顧客データ、商品データを元に決済指示を行う。
【００４１】
配送システム９は、指示された配送データに基づき、倉庫１２から商品の在庫１３をトラック１４を利用して商品の発送を行う。配送システム９は、指示された配送データに基づき、顧客データベース３に登録された情報を元に携帯端末１の識別情報ＩＤにより認証された顧客に購入された商品の中から携帯端末１を携帯する個人１６に適合する型番の商品を配送する。
【００４２】
また、決済システム１０は指示された決済データに基づき銀行１５に対し決済処理を行う。
【００４３】
なお、通信装置２から決済システム１０まではネットワーク１１を介し接続されている。
【００４４】
ここで、この商品販売システム１００における携帯端末１と通信装置２との接続例を図２に示す。
【００４５】
この図２に示す接続例は、人体を介して通信を行う接続例である。
【００４６】
この接続例では、携帯端末１ａを携帯した個人１６ａが通信装置２の上を歩行すると、携帯端末１ａと通信装置２は人体を介し人体通信を行いリンクが確立される。
【００４７】
携帯端末１ｂを携帯した個人１６ｂは通信装置２上にいないので、携帯端末１ｂと通信装置２は人体を介した人体通信が行えないのでリンクは確立されない。
【００４８】
人体通信を利用することで、表示装置７で扱う看板広告の情報の提供したい範囲を限定してリンクを確立させることが可能になる。つまり看板広告が隣接していても独立にリンクを形成させることができる。
【００４９】
なお、人体通信については、例えば、特開２００６−３０３７３６号公報等に記載されているように、本件出願人が先に提案している人体の介在によりに形成される電界を通じてデータ通信を行う人体通信システムの手法などが採用される。
【００５０】
また、この商品販売システム１００における携帯端末１と通信装置２との他の接続例を図３に示す。
【００５１】
図３は本実施の形態に適用される携帯端末１と通信装置２との接続例を示す別の図である。
【００５２】
この図３に示す接続例は、無線路を介して通信を行う接続例である。
【００５３】
この接続例では、携帯端末１ａを携帯した個人１６ａが通信装置２の通信エリア内に入ると、携帯端末１ａと通信装置２は無線路とアンテナ１７を介し無線通信を行いリンクが確立される。
【００５４】
携帯端末１ｂを携帯した個人１６ｂは通信装置２の通信エリア外にいるので、携帯端末１ｂと通信装置２は無線路を介した無線通信が行えないのでリンクは確立されない。
【００５５】
通信エリアを狭くした無線通信を利用することで、表示装置７で扱う看板広告の情報の提供したい範囲を限定してリンクを確立させることが可能になる。つまり看板広告が隣接していても独立にリンクを形成させることができる。
【００５６】
図４は、この商品販売システム１００における携帯端末１、通信装置２、顧客データベース３間の相互作用例を示すシーケンス図である。
【００５７】
ここでは、販売システムが機能し始める一番最初の時系列を説明する。ただし、システムの初期設定等の処理は省略している。
【００５８】
まず、携帯端末１が通信装置２の通信エリア内に入ることにより、システム一連の動作が始まり携帯端末１と通信装置２との間での通信リンク確立と（Ｓ１）、通信装置２と顧客データベース３との間での通信リンク確立が行われる（Ｓ２）。次いで、携帯端末１と通信装置２との間で携帯端末１が持つ識別情報ＩＤの確認が行われ（Ｓ３）、その識別情報ＩＤを元に通信装置２と顧客データベース３との間で顧客データの確認が行われる（Ｓ４）。顧客データベース３は、個人１６から事前に登録された各種データを保存、管理し、通信装置２からの個人認証に対し許可及びデータ提供を行う。顧客データベース３の顧客データを元に、通信装置２と対となっている表示装置７で扱う看板広告の情報が携帯端末１が持つ識別情報ＩＤに対し情報提供を行うものだと判断された場合には、通信装置２は携帯端末１に対し通知信号を発する（Ｓ５）。通知信号を受信した携帯端末１は、例えば携帯端末１自体が振動することにより個人１６へ通知信号を受信したことを知らせる（Ｓ６）。この他、携帯端末１自体から通知音が発せられてもよい。また携帯端末１自体が発光してもよい。携帯端末１が音楽再生機能を有していれば、視聴している音楽に通知音を加えてもよい。携帯端末１が映像再生機能を有していれば、モニタ上に通知マークを表示してもよい。通知信号を確認した個人１６は、案内された看板広告情報に興味があれば携帯端末１を介し接続処理を行う。携帯端末１から接続要求を受信した通信装置２は、携帯端末１が持つ識別情報ＩＤを元に顧客データベース３に更に詳しい顧客データの提供を要求し（Ｓ７）、通信装置２、顧客データベース３間で顧客データの共有を行う（Ｓ８）。つまり、通信装置２と対となっている表示装置７で扱う看板広告の情報を携帯端末１が持つ識別情報ＩＤがアクセスした等の情報を顧客データベース３は履歴として蓄積していく。
【００５９】
なお、接続処理に関しては携帯端末１に限らず別途存在する入力装置８を介して行ってもよいが、その際には別途識別情報ＩＤ認証手段が必要とする。
【００６０】
図５は、この商品販売システム１００における携帯端末１、通信装置２、撮影装置４、合成装置５、商品データベース６、表示装置７間の相互作用例を示すシーケンス図である。
【００６１】
ここでは、図４で示される接続要求以降から映像表示までの時系列を説明する。
【００６２】
まず、携帯端末１からの接続要求を通信装置２が受信する（Ｓ１１）。この要求をきっかけにして通信装置２は、通信装置２と対となっている表示装置７で扱う看板広告の商品データを商品データベース６から取得する（Ｓ１２）。その際、既に取得している顧客データを元に商品データの収集を行う。また、通信装置２は、通信装置２と対となっている撮影装置４へ撮影開始を指示する（Ｓ１３）。撮影開始を指示された撮影装置４は対象物を撮影し、撮影画像を合成装置５へ送る（Ｓ１４）。この時、対象物は携帯端末１を所持する個人１６となるが、撮影装置４は個人１６の動きに合わせて追従できる機能が有ってもよい。また、個人１６の動きに合わせて撮影装置４の撮影位置自体が移動してもよい。例えば、個人１６の視線に合わせて向き合う位置に撮影位置、方向を移動させてもよい。商品データベース６は、通信装置２からの顧客データを元に個人１６に適合した提供可能な商品データの画像情報を合成装置５に送る（Ｓ１５）。なお、合成装置５と商品データベース６との間のデータの受け渡しは直接ではなく通信装置２等を介して行ってもよい。合成装置５は、撮影装置４からの撮影画像と、商品データベース６からの画像情報を元に個人１６と商品との合成映像を生成し表示装置７へ送る（Ｓ１６）。このとき、合成装置５は、前記撮影装置４により撮影された個人１６の画像と商品データベース６からの画像情報とを個人１６の動きに合わせて合成する。この合成映像は、例えば商品が洋服ならば個人１６が試着しているように合成し、また、商品がバッグ等の小物ならば個人１６が所持しているように合成し、また、商品がネックレス等のアクセサリーならば個人１６が身に付けているように合成する。表示装置７は、合成装置５からの合成映像を看板広告を表示している画面へと映し出す。
【００６３】
この商品販売システム１００における合成装置５、表示装置７の機能例を図６示す。
【００６４】
通常、撮影された映像を表示画面で見る場合、撮影方向から見た映像が映し出される。つまり個人１６を撮影装置４で撮影し、合成装置５での合成処理を介し表示装置７で個人１６が見る場合、自分の姿がそのまま映し出される。具体的には個人１６の右手は表示装置７の画面左側に位置している。
【００６５】
一方、撮影とは別に自分の姿を見る方法として鏡がある。この鏡は、自分の右手は鏡面向って右側に映し出され、通常の表示装置７の表示方向とは逆になっている。
【００６６】
本実施の形態では、合成装置５の画像処理及び表示装置７の画像表示において通常の表示方向とは逆に左右反転して映し出させることにより、個人１６は、表示装置７が鏡であるかのように認識でき、商品と合成された本人の映像をまるで鏡の前で試着等しているかのように感じる効果を得ることができる。
【００６７】
なお、本物の鏡においては、鏡を見る本人の視線により映し出される姿、背景が異なる。撮影装置４が固定されていると視線の位置が限定されてしまい、個人１６の動きにより合成装置５で鏡映像を生成しきれなくなってしまう。よって、撮影装置４は、個人１６の動き、視線により逐次撮影位置を移動させるか若しくは複数設置された撮影装置４の映像を合成装置５において切り替て利用していく。
【００６８】
また、表示装置７は、鏡の効果をより増すために立体表示機能を有し合成装置５は立体表示用の合成映像を生成してもよい。
【００６９】
この商品販売システム１００における合成装置５、表示装置７の他の機能例を図７に示す。
【００７０】
図６に示した機能例では、鏡面映像は合成装置５で生成されていた。これに対し図７に示す機能例では、表示装置７に従来の鏡の機能を持たせ、合成映像を表示したい所にのみ鏡の機能ではなく所謂画面の光を発光する機能を動作させる方式である。表示装置７は、多数並べられた鏡面画素１８からなる。各鏡面画素１８は、合成装置５からの信号に従い、例えば「赤」を光らせたり、「青」を光らせたり、「緑」を光らせたりする。また合成装置５からの信号に従い、「鏡」の素子を機能させる。この「鏡」の素子の機能は所謂鏡本来の機能であり、表示装置７にあてられた光を反射する。
【００７１】
例えば、合成装置５が合成する画像情報がなかった場合、全ての鏡面画素１８を「鏡」とすることにより単なる鏡として機能する。また合成装置５が撮影画像を表示装置７へ映し出す必要がなかった場合、全ての鏡面画素１８を「赤」、「青」、「緑」のどれかを光らせることにより単なる画面として機能する。この場合に使用する光源は、各色の光を単一発光するもの限定されるものでなく、各色を複数同時発光するものであってもよい。
【００７２】
図６に示した機能例における合成装置５では、撮影画像と画像情報を合成装置５内部で合成させることにより個人１６の動きに対する合成処理は内部で閉じていた。つまり合成処理に時間が掛った場合には、表示装置７に映し出される映像が実際の動きより遅れて動き始めることに相当する。
【００７３】
一方、図７に示す機能例における合成装置５では、合成させる画像情報を個人１６の動きに合わせて移動させるため、鏡面画素１８の切り替え（発光および反射）は実際の動きに高速追従させる必要がある。例えば、合成情報を表示させるために発光していた鏡面画素１８の複数ブロック上に個人１６の腕が来た場合、追従が遅いと個人１６は腕を鏡に反射して見ることができず一瞬消えた状態になってしまう。
【００７４】
しかし、人間の行動パターンからみて、本発明が目的とする形態においては、個人１６は、表示装置７の前面で素早く動き続けることはなく、画面を確認するために動作を止めるのが一般的であると考えられる。よって、表示装置７に一瞬の表示不具合が発生したとしても本実施の形態において機能を満たさなくなるものではない。
【００７５】
また、個人１６が表示装置７の前面辺りどこに居るかを認識するために撮影装置４からの撮影画像は合成装置５で必要となる。ただし、図６に示した機能例で必要であった個人１６の視線を考慮した撮影装置４の撮影位置の割り出し等、複雑な処理は必要なくなる。
【００７６】
なお、鏡面画素１８の素子の並びは、図７で示される並びに限定されるものではなく、また各素子の大きさも均一である必要はない。さらには、発光する素子と反射させる素子が二重構造になっていて「鏡」の機能を有する反射素子は反射若しくは透過（発光素子からの光が通り抜ける）の機能を切り替えるように構成されていてもよい。つまり、合成映像が個人１６から見て適切に見られるように構成されていればよい。
【００７７】
この商品販売システム１００における合成装置５、入力装置８の機能例を図８に示す。
【００７８】
入力装置８は、合成する商品の切り替え（商品そのもの、サイズ、色、形など）や、購入時の手続き等を行うものである。合成装置５は、購入シーケンスに従い個人１６と商品の合成映像に入力装置８用のマークを加えて表示装置７に表示する。
【００７９】
個人１６は、入力したい項目のマークに対し、表示装置７に映し出される自分の手等を動かし直接表示装置７に触れることなく、合成映像上タッチしたかのような動きをする。入力装置８用マークが合成された位置に個人１６の手がタッチした場合、入力装置８は入力と判断し、購入シーケンスにおいて入力処理の手続きを行っていく。またその際、判定結果を合成装置５を介し表示装置７へ合成映像を映し出す。
【００８０】
この商品販売システム１００における合成装置５、入力装置８の他の機能例を図９に示す。
【００８１】
図９に示す機能例において、入力装置８への入力手段は、事前に決められている動作である。入力装置８は、購入シーケンスにおいて入力処理待ちである際、個人１６が事前に決められている動作を行ったと判断した場合には、購入シーケンスにおいて入力処理の手続きを行っていく。
【００８２】
その際、入力処理待ちであることや、入力処理が完了したこと等を個人１６が認識できるように合成装置５はメッセージ等を合成映像に加え表示装置７に表示する。
【００８３】
図１０は、この商品販売システム１００における撮影装置４、合成装置５、表示装置７、入力装置８間の相互作用例を示すシーケンス図である。
【００８４】
ここでは、図８、図９の購入シーケンスにおいて、購入決定時の動作撮影から購入成立の合成映像表示までの時系列を説明する。
【００８５】
まず、撮影装置４が個人１６を撮影した撮影画像を合成装置５と入力装置８へ送る（Ｓ２１，Ｓ２２）。合成装置５はこれまでと同様、合成映像を表示装置７へ送り続けておく。
【００８６】
入力装置８では、撮影装置４から撮影画像より個人１６の動きを解析し購入の意思のある動作かの判定を行う（Ｓ２３）。購入の意思のある動作と判定して際には購入成立となり、その判定結果を個人１６へ伝えるために合成装置５へ購入成立用の表示を合成するように指示を出す（Ｓ２４）。指示を受け取った合成装置５は、合成映像にメッセージ等を加え表示装置７に表示する（Ｓ２５）。
【００８７】
なお、個人１６へ各種結果報告は表示装置７を介した伝達に限ったものではない。
【００８８】
この商品販売システム１００における合成装置５、入力装置８の他の機能例を図１１に示す。
【００８９】
図１１に示す機能例において、入力装置８への入力手段は、事前に決められている言葉である。
【００９０】
入力装置８は、購入シーケンスにおいて入力処理待ちである際、個人１６が事前に決められている言葉を発したと判断した場合には、購入シーケンスにおいて入力処理の手続きを行っていく。
【００９１】
その際、入力処理待ちであることや、入力処理が完了したこと等を個人１６が認識できるように合成装置５はメッセージ等を合成映像に加え表示装置７に表示する。
【００９２】
この商品販売システム１００における合成装置５、入力装置８の別の機能例を図１２に示す。
【００９３】
図１２に示す機能例において、入力装置８への入力手段は、個人１６を介した携帯端末１と入力装置８の人体通信である。
【００９４】
入力装置８は、購入シーケンスにおいて入力処理待ちである際、通信リンク確立時に取得した識別情報ＩＤの携帯端末１を所持した個人１６が入力装置８に触れた場合には、購入シーケンスにおいて入力処理の手続きを行っていく。
【００９５】
その際、入力処理待ちであることや、入力処理が完了したこと等を個人１６が認識できるように合成装置５はメッセージ等を合成映像に加え表示装置７に表示する。
【００９６】
この商品販売システム１００における合成装置５、入力装置８のさらに別の機能例を図１３に示す。
【００９７】
図１３に示す機能例において、入力装置８への入力手段は、携帯端末１から通信装置２への入力処理である。
【００９８】
入力装置８は、購入シーケンスにおいて入力処理待ちである際、通信リンク確立時に取得した識別情報ＩＤの携帯端末１から通信装置２を介し入力処理が行われた場合には、購入シーケンスにおいて入力処理の手続きを行っていく。
【００９９】
その際、入力処理待ちであることや、入力処理が完了したこと等を個人１６が認識できるように合成装置５はメッセージ等を合成映像に加え表示装置７に表示する。
【０１００】
この商品販売システム１００における合成装置５、入力装置８のさらにまた別の機能例を図１４に示す。
【０１０１】
図１４に示す機能例において、入力装置８への入力手段は、携帯端末１を用いた非接触通信である。
【０１０２】
入力装置８は、携帯端末１を本体にかざすことにより情報を入力することができる機能を有するもので、購入シーケンスにおいて入力処理待ちである際、通信リンク確立時に取得した識別情報ＩＤの携帯端末１が入力装置８にかざされた場合には、購入シーケンスにおいて入力処理の手続きを行っていく。
【０１０３】
その際、入力処理待ちであることや、入力処理が完了したこと等を個人１６が認識できるように合成装置５はメッセージ等を合成映像に加え表示装置７に表示する。
【０１０４】
図１５は、この商品販売システム１００における通信装置２、顧客データベース３、商品データベース６、入力装置８、配送システム９間の相互作用例を示すシーケンス図である。
【０１０５】
ここでは、購入成立から商品発送までの時系列を説明する。
【０１０６】
まず、入力装置８から購入成立が通信装置２に発せられる（Ｓ３１）。その際、通信リンク確立時に取得した識別情報ＩＤの携帯端末１を所持する個人１６がどの商品を購入したが伝えられる。
【０１０７】
通信装置２は、顧客データベース３と顧客データを元に個人１６に対し販売する商品で間違いがないか確認をし、顧客データベース３は個人１６が該当商品を購入した履歴を保存する（Ｓ３２）。
【０１０８】
また、通信装置２は、商品データベース６と商品データを元に商品の在庫を確認し、商品データベース６は該当商品の販売履歴を更新する（Ｓ３３）。なお、商品在庫がなかった場合も含め、表示装置７等を介し個人１６へ商品配達日等の案内をしてもよい。
【０１０９】
そして通信装置２は、配送システム９へ該当商品（品番）の配送指示を出す（Ｓ３４）。この時、通信リンク確立時に取得した識別情報ＩＤの顧客データより配送先の住所等の情報も提供する。なお、配送先は事前に登録された顧客データに限らず、入力装置８等を介し購入時に個人１６からの指示に従ってもよい。
【０１１０】
配送システム９は、指示された配送データに基づき、顧客データベース３に登録された情報を元に携帯端末１の識別情報ＩＤにより認証された顧客に購入された商品の中から携帯端末１を携帯する個人１６に適合する型番の商品を配送する（Ｓ３５）。
【０１１１】
図１６は、この商品販売システム１００における通信装置２、顧客データベース３、商品データベース６、入力装置８、決済システム１０間の相互作用例を示すシーケンス図である。
【０１１２】
ここでは、購入成立から決済処理までの時系列を説明する。
【０１１３】
まず、入力装置８から購入成立が通信装置２に発せられる（Ｓ４１）。その際、通信リンク確立時に取得した識別情報ＩＤの携帯端末１を所持する個人１６がどの商品を購入したが伝えられる。
【０１１４】
通信装置２は、顧客データベース３と顧客データを元に個人１６に対し販売する商品で間違いがないか確認をし、顧客データベース３は個人１６が該当商品を購入した履歴を保存する（Ｓ４２）。
【０１１５】
また、通信装置２は、商品データベース６と商品データを元に商品の在庫を確認し、商品データベース６は該当商品の販売履歴を更新する（Ｓ４３）。なお、商品在庫がなかった場合も含め、表示装置７等を介し個人１６へ商品配達日等の案内をしてもよい。
【０１１６】
そして、通信装置２は、決済システム１０へ該当商品（価格）の決済指示を出す（Ｓ４４）。この時、通信リンク確立時に取得した識別情報ＩＤの顧客データより引き落とし口座等の情報も提供する。なお、引き落とし口座は事前に登録された顧客データに限らず、入力装置８等を介し購入時に個人１６からの指示に従ってもよい。
【０１１７】
決済システム１０は、決済指示に従いは、顧客データベース３に登録された情報を元に携帯端末１の識別情報ＩＤにより認証された顧客に対し決済処理を行う（Ｓ４５）。
【０１１８】
次に、このような商品販売システム１００を利用することにより、従来にない次のような効果が得られる。
【０１１９】
まず、顧客は店舗まで行かずに商品の購入が行える。かつ、店舗に訪れた時にちょうど品切れといったケースもなく、また店頭ではスペースの関係で扱え切れなかったケースも豊富な商品群の中から好みの商品を選択していけるようになる。
【０１２０】
店側からみれば、今まで看板広告の必要性は認識しており、店舗、ネットショッピング等による販売以外に宣伝自体も重要なものと位置付けされていた。しかし、宣伝による効果を得るためには顧客に来店してもらう必要があった。これが、本販売システムにより今まで宣伝に用いていた看板広告が直接商品販売まで結び付けることができ、より購買チャンスを得ることが可能になる。
【０１２１】
しかも、店舗の形態を構えることなく、自動販売機と同様に看板広告が設置できる場所で商品販売が行え、販売機会を増やすことができる。かつ、店舗では２４時間営業が行えなくても看板広告ならば可能となり、これまで時間的な制約から販売できなかった客層への販売チャンスを広げることが可能になる。ただし、これらは従来ネットショッピングによりこれらの問題を解決してきていたが、看板広告を媒体とすることにより、ホームページへのアクセスを導かなくてもより多くの客層を捉えることが可能となり、かつ表示装置７から得られる、より現実的な体験により購入意欲を起こさせることも可能になる。ネットショッピングサイト内で、マネキンに自分の顔を張り付けてパソコンの画面で見るよりは、表示装置７で姿見のように商品を見る方がインスピレーションが沸き購入へと繋げることが可能になると考えられる。
【０１２２】
また、看板広告の設置場所を公衆エリアではなく、ある程度制限された範囲に設置し、従来より接客が煩わしいという客層に対しても販売員を介することなく商品検討を行ってもらうことが可能になる。逆に、直接商品を手にすることがなくなることから万引きによる損害等も無くすことが可能になる。
【０１２３】
なお、顧客は商品の質感等、店舗に行かなくては判らないこともあるが、現在、ネットショッピングによる販売も増え、看板広告で扱える商品に関しては調査、検討は充分行えると考えられる。
【０１２４】
そして、この商品販売システム１００を導入する広告主にとって店舗で品切れ等による商品販売の機会損失を防げ、また、大量の商品を店舗へ配送するコストも削減できる。かつ、販売時間帯などの統計データより、顧客が求める営業時間に対する潜在ニーズなども一つの指標とし更なる商売展開へ繋げていくことも可能になる。
【０１２５】
なお、本発明は、以上説明した実施の形態に限定されるものでなく、例えば、商品データベース６はネットワーク１１を介し設置されていたが、これは看板広告側の表示装置７等と組みであってもよい。マスターの商品データベース６があり、これの情報更新と共に各商品データベース６が更新される仕組みでもよい。
【０１２６】
また、通信装置２、合成装置５は各種シーケンスの中心的な役割を担っていたが、これは別途シーケンスを集中制御する装置があってもよい。
【０１２７】
表示装置７は、個人１６を映し出す機能を有しているが、公共の場所に設置される点から考え、敢えて視野角を狭くし、第三者に対し個人１６の合成映像が見え辛くしてもよい。その際、第三者へは看板広告の従来の宣伝映像が見えるように工夫されていてもよいし、個人１６ではないモデルの合成映像が個人１６と同じ動きをするように工夫されていてもよい。
【０１２８】
また、この商品販売システム１００は、表示装置７が既存の自動販売機前面の役割を持ち、逐次購入商品の提供を行い、その場で課金処理若しくはネットワークを介した決済を行うことなどして、看板広告と自動販売機前面を一体化させる応用も充分対応可能なシステムである。
【図面の簡単な説明】
【０１２９】
【図１】本発明を適用した商品販売システムの構成例を示すブロック図である。
【図２】前記商品販売システムにおける携帯端末と通信装置との接続例を模式的に示す図である。
【図３】前記商品販売システムにおける携帯端末と通信装置との他の接続例を模式的に示す図である。
【図４】前記商品販売システムにおける携帯端末、通信装置、顧客データベース間の相互作用例を模式的に示す図である。
【図５】前記商品販売システムにおける携帯端末、通信装置、撮影装置、合成装置、商品データベース、表示装置間の相互作用例を模式的に示す図である。
【図６】前記商品販売システムにおける合成装置、表示装置の機能例を模式的に示す図である。
【図７】前記商品販売システムにおける表示装置7の機能例を模式的に示す図である。
【図８】前記商品販売システムにおける合成装置、入力装置の機能例(1)を模式的に示す図である。
【図９】前記商品販売システムにおける合成装置、入力装置の機能例(2)を模式的に示す図である。
【図１０】前記商品販売システムにおける撮影装置、合成装置、表示装置、入力装置間の相互作用例を模式的に示す図である。
【図１１】前記商品販売システムにおける合成装置、入力装置の機能例(3)を模式的に示す図である。
【図１２】前記商品販売システムにおける合成装置、入力装置の機能例(4)を模式的に示す図である。
【図１３】前記商品販売システムにおける合成装置、入力装置の機能例(5)を模式的に示す図である。
【図１４】前記商品販売システムにおける合成装置、入力装置の機能例(6)を模式的に示す図である。
【図１５】前記商品販売システムにおける通信装置、顧客データベース、商品データベース、入力装置、配送システム9間の相互作用例を模式的に示す図である。
【図１６】前記商品販売システムにおける通信装置、顧客データベース、商品データベース、入力装置、決済システム間の相互作用例を模式的に示す図である。
【符号の説明】
【０１３０】
１  携帯端末、２  通信装置、３  顧客データベース、４  撮影装置、５  合成装置、６  商品データベース、７  表示装置、８  入力装置、９  配送システム、１０  決済システム、１１  ネットワーク、１２  倉庫、１３在庫、１４  トラック、１５  銀行、１０００  商品販売システム
【図１】
2010049415.tif 000003
【図２】
2010049415.tif 000004
【図３】
2010049415.tif 000005
【図４】
2010049415.tif 000006
【図５】
2010049415.tif 000007
【図６】
2010049415.tif 000008
【図７】
2010049415.tif 000009
【図８】
2010049415.tif 000010
【図９】
2010049415.tif 000011
【図１０】
2010049415.tif 000012
【図１１】
2010049415.tif 000013
【図１２】
2010049415.tif 000014
【図１３】
2010049415.tif 000015
【図１４】
2010049415.tif 000016
【図１５】
2010049415.tif 000017
【図１６】
2010049415.tif 000018
【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
個人認証を行うための通信を行う携帯端末と、
前記携帯端末を認識し通信を行う通信装置と、
前記携帯端末を携帯する個人の個人認証を前記通信装置を介して行い個人情報を管理する顧客データベースと、
前記携帯端末を携帯する個人を撮影する撮影装置と、
前記撮影装置が撮影した映像と別の画像を合成する合成装置と、
前記合成装置が合成する別の画像を蓄える商品データベースと、
前記合成装置が合成した映像を映し出す表示装置と、
前記個人が情報を入力する入力装置と、
前記入力装置に入力された情報を元に商品を配送する配送システムと、
前記顧客データベースにより認証された個人から決済を行う決済システムと
を有する商品販売システム。
【請求項２】
前記携帯端末は、前記通信装置と人体を介して通信を行う機能を有する請求項１に記載の商品販売システム。
【請求項３】
前記携帯端末は、前記通信装置と無線路を介して通信を行う機能を有する請求項１に記載の商品販売システム。
【請求項４】
前記通信装置は、前記携帯端末が接近したことを感知する機能と、前記携帯端末の識別情報を元に前記顧客データベースに問い合わせを行い前記携帯端末が通信対象と判断した場合に前記携帯端末に対し通知信号を送信する機能とを有する請求項１に記載の商品販売システム。
【請求項５】
前記携帯端末は、前記通信装置から通知信号を受信した際に前記個人に通知信号を受信したことを伝える機能を有する請求項４に記載の商品販売システム。
【請求項６】
前記顧客データベースは、前記個人から事前に登録された各種データを保存、管理し、前記通信装置からの個人認証に対し許可及びデータ提供を行う機能を有する請求項１に記載の商品販売システム。
【請求項７】
前記撮影装置は、前記通信装置から撮影対象が接近した通知を受け、前記個人を撮影する機能を有する請求項４に記載の商品販売システム。
【請求項８】
前記撮影装置は、前記個人の動きに合わせ追跡する機能を有する請求項１に記載の商品販売システム。
【請求項９】
前記合成装置は、前記撮影装置により撮影された前記個人の画像と前記商品データベースからの画像情報とを前記個人の動きに合わせて合成する機能を有する請求項１に記載の商品販売システム。
【請求項１０】
前記合成装置は、立体的に表示可能なように合成映像を生成する機能を有し、前記表示装置は、前記合成装置より送られてくる画像を立体表示する機能を有する請求項１に記載の商品販売システム。
【請求項１１】
前記商品データベースは、販売する商品の各種データを保存、管理し、前記顧客データベースからの情報を元に前記個人に適合した画像情報を前記合成装置に提供する機能を有する請求項１に記載の商品販売システム。
【請求項１２】
前記表示装置は、前記個人が鏡に映る姿として本人が見られるように表示する機能を有する請求項１に記載の商品販売システム。
【請求項１３】
前記表示装置は、光を発光する素子と光を反射される素子が一組の画素となった多数の画素からなる光の発光と反射を同時に行う機能を有する請求項１に記載の商品販売システム。
【請求項１４】
前記入力装置は、前記表示装置に映し出されるボタンへの操作として情報を入力する機能を有する請求項１に記載の商品販売システム。
【請求項１５】
前記入力装置は、前記個人の動作が前記撮影装置で撮影された画像より定められた動作と認識された場合に、情報を入力可能とした請求項１に記載の商品販売システム。
【請求項１６】
前記入力装置は、前記個人からの音声により情報を入力可能とした請求項１に記載の商品販売システム。
【請求項１７】
前記入力装置は、前記個人が本体に触れることにより情報を入力可能とした請求項１に記載の商品販売システム。
【請求項１８】
前記入力装置は、前記携帯端末を介して情報を入力可能とした請求項１に記載の商品販売システム。
【請求項１９】
前記入力装置は、前記携帯端末を本体にかざすことにより情報を入力可能とした請求項１に記載の商品販売システム。
【請求項２０】
前記配送システムは、前記顧客データベースに登録された情報を元に前記携帯端末の識別情報により認証された顧客に購入された商品の中から前記個人に適合する型番の商品を配送する機能を有する請求項４に記載の商品販売システム。